(57)【要約】      （修正有）【課題】日常生活において特別な時間を取ることなく、他の作業等を行いながらでも酸素セラピーを行うことができ、よりコンパクトな酸素セラピー装置を提供する。【解決手段】エア供給部から配管を介して、身体シール部７ａ、７ｂに所定圧力の空気が送られる。配管には調圧器が設けられ、身体シール部７ａ、７ｂに送られる空気圧力は一定に保持される。この状態では、使用者の身体と身体口５との間が身体シール部７ａ、７ｂで確実にシールされる。次に、身体シール部７ａ、７ｂの圧力を保持したまま、エア供給部より配管を介して高圧保持空間内に高圧空気を供給する。【選択図】図３
2011045611.tif 000002
【特許請求の範囲】
【請求項１】
身体の一部に所定圧力の空気を付与可能な酸素セラピー装置であって、
使用者の身体が入ることが可能な身体口を有する本体部と、
前記本体部の前記身体口に形成され、使用者の身体の一部において身体全周を覆い、前記身体口と使用者の身体との間をシールすることが可能な身体シール部と、
前記本体部の内部に空気を供給可能な空気供給部と、
を具備し、
前記本体部に使用者が入った状態で、前記身体シール部で使用者の身体と前記身体口との間がシールされて前記本体部の内部が密閉され、前記本体部の内部の圧力を所定圧力に保持可能であることを特徴とする酸素セラピー装置。
【請求項２】
前記本体部の内部の前記身体口の下方には、使用者が座ることが可能な座部が設けられ、使用者が前記座部に座った状態で前記身体シール部が使用者の上半身の一部をシール可能であることを特徴とする請求項１記載の酸素セラピー装置。
【請求項３】
前記本体部は、前記本体部の前方に設けられ、前後方向にスライド移動可能なるカバーを具備し、前記カバーの上方に設けられた切欠きにより前記身体口が形成され、前記身体シール部は複数に分割されており、それぞれ分割された前記身体シール部は内部にエアを供給することで膨張させることが可能であり、分割された前記身体シール部を前記身体口の内面に環状に対向させて配置することで使用者の身体の一部の全周をシールすることが可能であることを特徴とする請求項１または請求項２に記載の酸素セラピー装置。
【請求項４】
前記本体部は、前記本体部の前方に設けられ、前後方向にスライド移動可能なるカバーと、前記本体部の上方に設けられ、前記身体口が設けられる天板と、を具備し、前記身体口の内周部が前記身体シール部であり、前記天板は前記本体部と着脱可能であり、前記カバーと前記本体部との接触面にはシールが設けられ、前記天板は、前記本体部の内側部に設けられた溝に嵌めることが可能であることを特徴とする請求項１または請求項２に記載の酸素セラピー装置。
【請求項５】
前記本体部は、開閉可能な一対の開閉扉を有し、一対の前記開閉扉の対向部にはそれぞれ切欠きが形成され、前記身体口は前記切欠きを対向させることで形成され、前記身体シール部は複数に分割されており、それぞれ分割された前記身体シール部は内部にエアを供給することで膨張させることが可能であり、分割された前記身体シール部を前記身体口の内面に環状に対向させて配置することで使用者の身体の一部の全周をシールすることが可能であることを特徴とする請求項１または請求項２に記載の酸素セラピー装置。
【請求項６】
前記身体シール部が形成される前記身体口には、前記身体シール部を保持可能な凹断面であるシール保持部を有し、前記身体シール部を膨張させると、前記身体シール部は前記シール保持部で外周が保持され、前記身体口の内周方向に膨張することを特徴とする請求項３または請求項５記載の酸素セラピー装置。
【発明の詳細な説明】
【技術分野】
【０００１】
本発明は、体の一部に高圧のエアを付与する酸素セラピー装置に関するものである。
【背景技術】
【０００２】
従来、疲労回復、老化防止、ダイエット等を目的として酸素セラピーと呼ばれるものが行われている。酸素セラピーとは、通常よりも高い圧力のエア（酸素）内に身体をおいて、通常の呼吸では不可能な量の酸素を細胞の隅々に溶け込ませ（溶解型酸素）、血液中に溶解する酸素量を増加させることができる。
【０００３】
このような酸素セラピー装置としては、多くの場合、カプセル型のものが提案されており、カプセル内に利用者が入り、カプセルを閉じた状態でカプセル内の気圧を上昇させるものである。しかしながら、カプセルは大型となり、費用もかかるという問題がある。
【０００４】
一方、利用者がカプセルに入るのではなく、呼吸部（口鼻部）を大気に開放した状態で、身体に高圧エアを付与するスーツ状の酸素セラピー用装置がある（特許文献１）。
【先行技術文献】
【特許文献】
【０００５】
【特許文献１】特開２００９−５６２７７号公報
【発明の概要】
【発明が解決しようとする課題】
【０００６】
しかし、特許文献１の酸素セラピー用装置は、利用者の呼吸部を開放し、全体を覆うようなカプセルではないが、ほぼ頭部までを覆うものであり、必ずしもコンパクトであるとは言えない。また、口鼻を大気に開放するのは、呼吸器系から活性酸素を多量に取り込むことを防止するためのものであり、装置のコンパクト化や利用者の利便性に基づくものではない。また、開放部が呼吸部のみでは、開放部に大きな血圧が付加されるため、頭部へ大きな負荷がかかる恐れがある。
【０００７】
したがって、特許文献１の酸素セラピー用装置を用いても、利用者は酸素カプセルに入っているのと同様、酸素セラピー用装置を使用時には、他の作業を行うことができない。すなわち、装置を利用するためには、そのために必要な時間を取る必要があるが、利用者がこのような時間を取ることができない場合もある。
【０００８】
本発明は、このような問題に鑑みてなされたもので、日常生活において特別な時間を取ることなく、他の作業等を行いながらでも酸素セラピーを行うことができ、安全でよりコンパクトな酸素セラピー装置を提供することを目的とする。
【課題を解決するための手段】
【０００９】
前述した目的を達成するため、本発明は、身体の一部に所定圧力の空気を付与可能な酸素セラピー装置であって、使用者の身体が入ることが可能な身体口を有する本体部と、前記本体部の前記身体口に形成され、使用者の身体の一部において身体全周を覆い、前記身体口と使用者の身体との間をシールすることが可能な身体シール部と、前記本体部の内部に空気を供給可能な空気供給部と、を具備し、前記本体部に使用者が入った状態で、前記身体シール部で使用者の身体と前記身体口との間がシールされて前記本体部の内部が密閉され、前記本体部の内部の圧力を所定圧力に保持可能であることを特徴とする酸素セラピー装置である。
【００１０】
前記本体部の内部の前記身体口の下方には、使用者が座ることが可能な座部が設けられ、使用者が前記座部に座った状態で前記身体シール部が使用者の上半身の一部をシール可能であることが望ましい。
【００１１】
前記本体部は、前記本体部の前方に設けられ、前後方向にスライド移動可能なるカバーを具備し、前記カバーの上方に設けられた切欠きにより前記身体口が形成され、前記身体シール部は複数に分割されており、それぞれ分割された前記身体シール部は内部にエアを供給することで膨張させることが可能であり、分割された前記身体シール部を前記身体口の内面に環状に対向させて配置することで使用者の身体の一部の全周をシールすることが可能であってもよい。
【００１２】
前記本体部は、前記本体部の前方に設けられ、前後方向にスライド移動可能なるカバーと、前記本体部の上方に設けられ、前記身体口が設けられる天板と、を具備し、前記身体口の内周部が前記身体シール部であり、前記天板は前記本体部と着脱可能であり、前記カバーと前記本体部との接触面にはシールが設けられ、前記天板は、前記本体部の内側部に設けられた溝に嵌めることが可能であってもよい。
【００１３】
前記本体部は、開閉可能な一対の開閉扉を有し、一対の前記開閉扉の対向部にはそれぞれ切欠きが形成され、前記身体口は前記切欠きを対向させることで形成され、前記身体シール部は複数に分割されており、それぞれ分割された前記身体シール部は内部にエアを供給することで膨張させることが可能であり、分割された前記身体シール部を前記身体口の内面に環状に対向させて配置することで使用者の身体の一部の全周をシールすることが可能であってもよい。
【００１４】
前記身体シール部が形成される前記身体口には、前記身体シール部を保持可能な凹断面であるシール保持部を有し、前記身体シール部を膨張させると、前記身体シール部は前記シール保持部で外周が保持され、前記身体口の内周方向に膨張可能であることが望ましい。
【００１５】
本発明によれば、身体の一部（主に下半身）のみに所定圧力の空気を付与可能であるため、全身をカプセル等に入れる必要がなく、装置がコンパクトである。
【００１６】
また、身体口に身体を入れ、身体口と身体とをシールする身体シール部が設けられ、本体部内部に空気が供給されるため、身体シール部で確実に空気をシールすることができ、本体内部の圧力を一定に保つことができる。
【００１７】
特に、身体口下方に座部を設ければ、使用者は座部に座った状態で本体に入ることができる。この場合、例えば、使用者の腹部近傍に身体シール部が来るようにすれば、使用者の下半身に効率良く高圧エアを付与することができる。
【００１８】
本体前方に前後方向にスライドするカバーが設けられ、カバーに設けられた身体口および背もたれ部に身体シール部が分割して設けられれば、使用者は容易に本体内部に入ることができるとともに、確実に身体シール部でシールすることができる。
【００１９】
また、前述したカバーに身体口が設けられる天板が設けられ、天板自体を身体シール部とすることで、より簡易な構造の酸素セラピー装置を得ることができる。
【００２０】
また、本体部の上方に開閉可能な一対の開閉扉を設け、開閉扉に設けられた切欠きを対向させることで身体口が形成されるようにすれば、使用者が本体部に入りやすく、構造が簡易である。
【００２１】
また、身体シール部が空気により膨張可能である場合に、身体シール部の外周部に凹断面のシール保持部を設ければ、身体シール部を膨張させた際に、身体シール部が中心方向に膨張するため、身体との間を効率良くシールすることができる。
【発明の効果】
【００２２】
本発明によれば、日常生活において特別な時間を取ることなく、他の作業等を行いながらでも酸素セラピーを行うことができ、よりコンパクトな酸素セラピー装置を提供することができる。
【図面の簡単な説明】
【００２３】
【図１】酸素セラピー装置１を示す斜視図。
【図２】酸素セラピー装置１の開閉扉を開いた状態を示す斜視図。
【図３】酸素セラピー装置１の身体口５近傍を示す平面図であり、（ａ）は身体シール部７ａ、７ｂがしぼんだ状態、（ｂ）は身体シール部７ａ、７ｂを膨らませた状態を示す図。
【図４】身体シール部７ａ、７ｂの断面図であり、（ａ）は図３（ａ）のＢ−Ｂ線断面図、（ｂ）は図３（ａ）のＣ−Ｃ線断面図、（ｃ）は図３（ｂ）のＢ−Ｂ線断面図、（ｂ）は図３（ｂ）のＣ−Ｃ線断面図。
【図５】酸素セラピー装置１の使用状態を示す側面断面図。
【図６】酸素セラピー装置３０を示す図であり、（ａ）は斜視図、（ｂ）は身体口５近傍を示す平面図。
【図７】酸素セラピー装置４０を示す図であり、（ａ）は斜視図、（ｂ）は身体口５近傍を示す平面図。
【図８】酸素セラピー装置５０を示す図であり、（ａ）はカバー５３を閉じた状態を示す斜視図、（ｂ）はカバー５３を開いた状態を斜視図。
【図９】酸素セラピー装置５０の使用状態を示す側面断面図。
【図１０】酸素セラピー装置６０を示す図であり、（ａ）はカバー６３を閉じた状態を示す斜視図、（ｂ）はカバー６３を開いた状態を斜視図。
【図１１】酸素セラピー装置６０の使用状態を示す側面断面図。
【発明を実施するための形態】
【００２４】
以下、本発明の実施の形態にかかる酸素セラピー装置１について説明する。図１は、酸素セラピー装置１を示す斜視図であり、図２は酸素セラピー装置１の開閉扉９を開いた状態を示す斜視図である。酸素セラピー装置１は、主に、本体部３、開閉扉９、背もたれ１３、身体シール部７ａ、７ｂ等から構成される。
【００２５】
本来部３は、箱状であり、上方には一対の開閉扉９が設けられる。開閉扉９は、その両側部に蝶番１５が設けられ、本体部３の左右方向に開閉可能（図２矢印Ａ方向）である。一対の開閉扉９の上方端部（背もたれ１３側）には円弧状の切欠き１１がそれぞれ設けられる。切欠き１１の開閉扉下面には、切欠き部に沿ってシール保持部１７ａが設けられる。シール保持部１７ａの内面には身体シール部７ａが設けられる。すなわち、身体シール部７ａの外周部にシール保持部１７ａが形成される。なお、身体シール部およびシール保持部については詳細を後述する。
【００２６】
背もたれ１３の開閉扉９に対応する位置には、身体シール部７ｂが設けられる身体シール部７ｂの外周側にはシール保持部１７ｂが設けられる。切欠き１１、１１および背もたれ１３とで囲まれた領域（身体シール部７ａ、７ａ、身体シール部７ｂで囲まれた領域）が身体口５となる。身体口５は使用者の身体が本体内部に入る部位である。
【００２７】
図２に示すように、身体口５の下方は（身体シール部７ｂの前方側）には座部１９が設けられる。座部１９は使用者が座るための部位である。座部１９の下方には、エア供給口２１が設けられる。エア供給口２１は本体部３内に空気を供給するための部位である。
【００２８】
なお、開閉扉９同士の接触部や、開閉扉９と本体部３および背もたれ１３との接触部には、ゴムパッキンなどのシールが施されており、開閉扉９を閉じた状態（図１）では、身体口５以外については、本体部３内部は外部から密閉される。
【００２９】
次に、身体シール部７ａ、７ｂおよびシール保持部１７ａ、１７ｂについて説明する。図３は、酸素セラピー装置１の身体口５近傍を示す平面図であり、図３（ａ）は身体シール部７ａ、７ｂがしぼんだ状態、図３（ｂ）は身体シール部７ａ、７ｂを膨らませた状態を示す図である。また、図４は、身体シール部７ａ、７ｂの断面図であり、図４（ａ）は図３（ａ）のＢ−Ｂ線断面図、図４（ｂ）は図３（ａ）のＣ−Ｃ線断面図、図４（ｃ）は図３（ｂ）のＢ−Ｂ線断面図、図４（ｄ）は図３（ｂ）のＣ−Ｃ線断面図である。
【００３０】
身体シール部７ａ、７ｂは袋状の部材であり、内部に空気を供給可能である。身体シール部７ａ、７ｂの内部に空気が供給されると、身体シール部７ａ、７ｂは膨張する。前述の通り、身体シール部７ａは開閉扉９上の切欠き１１に沿って形成される。背もたれ１３の身体シール部７ａに対応する位置には、身体シール部７ｂが設けられる。なお、身体シール部７ａ、７ｂとしては、例えばネオプレンゴム等が使用できる。
【００３１】
図４（ａ）に示すように、身体シール部７ｂは背もたれ１３に設けられたシール保持部１７ｂの前方側に設けられる。シール保持部１７ｂは、前面に凹部１８ｂを有する部材であり、身体シール部７ｂは凹部１８ｂ内に収納されるように設けられる。
【００３２】
また、図４（ｂ）に示すように、開閉扉９の下面にはシール保持部１７ａが形成される。シール保持部１７ａは、前面に凹部１８ａを有し、身体シール部７ａがシール保持部１７ａ内に収納されるように設けられる。すなわち、身体口５の内方に向かって環状に凹部１８ａ、１８ｂが形成され、凹部１８ａ、１８ｂに収納されるように環状に分割された身体シール部７ａ、７ｂが配置される。なお、シール保持部１７ａ、１７ｂは、例えば金属製、樹脂製等のものが使用できる。
【００３３】
この状態で身体シール部７ａ、７ｂ内にエアを供給すると、図３（ｂ）に示すように身体シール部７ａ、７ｂが膨張する。この際、身体シール部７ａ、７ｂ同士が端部で接触し、身体シール部７ａ、７ｂで環状のシール部が形成される。すなわち、分割された各身体シール部７ａ、７ｂが、互いに対向して接触し、一つの環状のシール部材となる。
【００３４】
図４（ｃ）に示すように、この状態での身体シール部７ｂは、身体口５の外周側がシール保持部１７ｂで保持されるため、身体口５の内周側（中心方向）に膨張する（図中矢印Ｄ方向）。
【００３５】
同様に、図４（ｄ）に示すように、この状態での身体シール部７ａは、身体口５の外周側がシール保持部１７ａで保持されるため、身体口５の内周側（中心方向）に膨張する（図中矢印Ｅ方向）。したがって、膨張した状態では、各身体シール部７ａ、７ｂは身体口５の内周方向（中心方向）に膨張する。このため、身体シール部７ａ、７ｂにより形成された一つの環状のシール部材によって、身体口５の開口部を小さくすることができる。
【００３６】
次に、酸素セラピー装置１の使用方法について説明する。図５は、酸素セラピー装置１の使用状態を示す側方断面図である。使用者は、まず、開閉扉９を開放して本体部３内に入る。次いで、使用者は座部１９に座った状態で、使用者の身体が身体口５に来るように開閉扉９を閉じる。したがって、使用者の身体は、腹部近傍が身体口５に位置し、腹部以下が本体部３内に入るように位置する。
【００３７】
この状態で、酸素セラピー装置１のエア供給部２３を動作させる。エア供給部２３は、コンプレッサや圧縮空気タンク等で良い。まず、エア供給部２３から配管２５ｂ、２５ｃを介して、身体シール部７ａ、７ｂに所定圧力の空気が送られる。配管２５ｂ、２５ｃには図示を省略した調圧器が設けられ、身体シール部７ａ、７ｂに送られる空気圧力は一定に保持される。
【００３８】
なお、身体シール部７ａ、７ｂに送られる空気圧は、後述する本体部３内の圧力よりもわずかに高い圧力であれば良い。この状態では、使用者の身体と身体口５との間が身体シール部７ａ、７ｂで確実にシールされる。特に身体シール部７ａ、７ｂは、身体口５の開口を小さくするように膨張するため、確実に使用者の身体に密着する。したがって、この状態で、本体部３内部には、完全に密閉された高圧保持空間２７が形成される。
【００３９】
次に、身体シール部７ａ、７ｂの圧力を保持したまま、エア供給部２３より配管２５ａを介して高圧保持空間２７内に高圧空気を供給する。なお、配管２５ａには図示を省略した調圧器が設けられ、高圧保持空間２７内は所定圧力に保持される。高圧保持空間２７内の圧力としては、２〜３気圧程度でよい。したがって、例えば身体の臍部でシールがなされるとすると、臍下の人体の表面積が略全身の１／２程度であることから、身体の約１／２の表面積に対して、高圧エアを供給することができる。このため、開放部の表面積が十分であるため、血圧は上昇するものの問題がない。なお、必要に応じて、内部の圧力が所定以上となった際に開放して、内部のエアを外部に逃がす安全弁を設けてもよい。
【００４０】
なお、この状態で、使用者は座部１９に座った状態で、使用者の上半身が自由に動作できるため、開閉扉９上を机として書きものや読書、コンピュータ操作等を行うことができる。
【００４１】
以上、第１の実施の形態にかかる酸素セラピー装置１によれば、使用者の全身を覆うようなカプセル状、またはスーツ状ではないため、簡易かつコンパクトな酸素セラピー装置を提供することができる。
【００４２】
また、身体口５下方には座部１９が設けられるため、使用者は座った状態で、下半身に対して高圧空気を付与することができる。また、一対の開閉扉９によって本体部３が開放するため、使用者が本体部３内に入りやすく、また、一対の開閉扉９それぞれおよび背もたれ１３に設けられ、分割して設けられる身体シール部７ａ、７ｂが、環状のシール部を形成するため、確実に身体と身体口との間をシールすることができる。
【００４３】
また、身体シール部７ａ、７ｂの外周には、シール保持部１７ａ、１７ｂが設けられるため、身体シール部７ａ、７ｂを膨張させる際に、身体シール部７ａ、７ｂは内周方向に膨張し、身体口５の開口が小さくなるため、身体と身体口とのシールをより確実に行うことができる。
【００４４】
また、使用者の上半身が本体部３より外部に出ているため、開閉扉９等を机として各種作業を行うことができる。このため、日常生活において、特別な時間を取ることなく、日常での作業を行いながら酸素セラピー装置を利用することができる。
【００４５】
次に、第２の実施の形態にかかる酸素セラピー装置３０について説明する。以下の実施の形態において、図１〜図５に示す酸素セラピー装置１と同一の機能を果たす構成要素には、図１〜図５と同一番号を付し、重複した説明を避ける。第２の実施の形態にかかる酸素セラピー装置３０は酸素セラピー装置１とほぼ同様の構成であるが、次の点で異なる。すなわち、酸素セラピー装置３０では、酸素セラピー装置１の身体シール部７ａに代えて、Ｕ字状の身体シール部７ｃが用いられる。
【００４６】
図６は、酸素セラピー装置３０を示す図であり、図６（ａ）は酸素セラピー装置３０の斜視図、図６（ｂ）は身体口５近傍を示す平面図である。
【００４７】
身体シール部７ｃは、Ｕ字状の袋体であり、内部に空気を供給することで膨張させることができる。一対の開閉扉９の切欠き１１には、シール保持部１７ａがそれぞれ形成されており、身体シール部７ｃはシール部材１７ａに対して着脱可能に配置される。すなわち、開閉扉９を閉じた状態で、一対の切欠き１１で形成される略Ｕ字状の部位に沿って身体シール部７ｃが着脱可能に設けられる。
【００４８】
使用者は、酸素セラピー装置１と同様に、開閉扉９を開閉して本体部３内に入った後、開閉扉９を閉じる。次いで、身体シール部７ｃをシール保持部１７ａに収納するように設置する（図中矢印Ｆ方向）。この状態で、エア供給部より身体シール部７ｂ、７ｃにエアを供給することで、身体シール部７ｂ、７ｃが膨張し、身体シール部７ｂ、７ｃ端部同士が接触して一つの環状のシール部を形成する。
【００４９】
身体シール部７ｂ、７ｃは、外周がシール保持部１７ａ、１７ｂによって保持されるので、身体口５の内周に向かって膨張する。したがって、身体口５の開口を小さくすることができる。
【００５０】
第２の実施の形態にかかる酸素セラピー装置３０によれば、酸素セラピー装置１と同様の効果を得ることができる。また、身体シール部７ｃを設けることで、酸素セラピー装置１では三分割であった身体シール部が二分割となり、このため、身体シール部同士の接触部が少なくなる。したがって、より確実に身体口５と身体との間をシールすることができ、確実に本体部３内部の圧力を一定に保つことができる。
【００５１】
次に、第３の実施の形態にかかる酸素セラピー装置４０について説明する。第３の実施の形態にかかる酸素セラピー装置４０は酸素セラピー装置１とほぼ同様の構成であるが、次の点で異なる。すなわち、酸素セラピー装置４０では、酸素セラピー装置１の身体シール部７ａ、７ｂに代えて、一対のＵ字状の身体シール部７ｄが用いられる。
【００５２】
図７は、酸素セラピー装置４０を示す図であり、図７（ａ）は酸素セラピー装置４０の斜視図、図７（ｂ）は身体口５近傍を示す平面図である。一対の開閉扉９には、それぞれ半円（半楕円）状の切欠き１１が形成される。開閉扉９を閉じた状態では、切欠き１１、１１が対向して、略楕円状の身体口５が形成される。
【００５３】
身体口５には、開閉扉９下面に、切欠き１１に沿ってシール保持部１７ａが形成される。それぞれのシール保持部１７ａには、身体シール部７ｄが収納されている。身体シール部７ｄはＵ字状の袋体であり、内部に空気を供給することで膨張させることができる。
【００５４】
使用者は、酸素セラピー装置１と同様に、開閉扉９を開閉して本体部３内に入った後、開閉扉９を閉じる。次いで、エア供給部より身体シール部７ｄにエアを供給することで、身体シール部７ｄが膨張し、身体シール部７ｄ端部同士が接触して一つの環状のシール部を形成することができる。
【００５５】
第３の実施の形態にかかる酸素セラピー装置４０によれば、酸素セラピー装置１と同様の効果を得ることができる。また、身体シール部７ｄを用いることで、酸素セラピー装置１では三分割であった身体シール部が二分割となり、このため、身体シール部同士の接触部が少なくなる。したがって、より確実に身体口５と身体との間をシールすることができ、確実に本体部３内部の圧力を一定に保つことができる。また、身体シール部７ｄは開閉扉９に常に設置されるため、使用時に都度着脱する必要もない。
【００５６】
次に、第４の実施の形態にかかる酸素セラピー装置５０について説明する。第４の実施の形態にかかる酸素セラピー装置５０は酸素セラピー装置１とほぼ同様の構成であるが、次の点で異なる。すなわち、酸素セラピー装置５０では、酸素セラピー装置１の開閉扉９に代えて、カバー５３等が用いられる。
【００５７】
図８は酸素セラピー装置５０を示す図であり、図８（ａ）は酸素セラピー装置５０の斜視図、図８（ｂ）はカバー５３を開放した状態を示す斜視図である。カバー５３は、本体部３の前方に設けられる。カバー５３下方にはレール５７が設けられる。なお、レール５７としては伸縮式のものも使用でき、この場合、レール５７はカバー５３下方に隠れて露出することがない。
【００５８】
カバー５３の側面には取手５５が設けられる。カバー５３は、レール５７上を移動可能である。すなわち、カバー５３は、本体部３に対して前後方向にスライド可能である。本体部３上方には、天板５１が設けられる。天板５１は、例えばネオプレンゴム製である。天板５１には身体口５である孔が形成される。なお、身体口５の外周部が身体シール部７ｅとなる。
【００５９】
本体部３の上方の両内側部には溝５９ｂが形成され、さらに背もたれ１３の溝５９ｂに対応する位置に溝５９ａが形成される。すなわち、溝５９ａ、５９ｂによりコの字状に溝が連続する。天板５１は溝５９ｂに挿入され、最後端部が溝５９ａに嵌る。天板５１はゴム製であるため、自らの弾性変形により、溝５９ａ、５９ｂとの間をシールする。なお、カバー５３と本体部３との接触面には、パッキン等のシールが設けられる。また、天板５１とカバー５３との接触部も天板５１自体のシール性によってシールがなされる。すなわち、本体部３内部が身体口５を除いて密閉される。
【００６０】
図９は、酸素セラピー装置５０の使用状態を示す側面断面図である。使用者は、カバー５３を前方にスライドさせて開放した状態で、本体部３に入る。この際、あらかじめ天板５１の身体口５に身体を通した状態で、天板５１を溝５９ｂ（図８（ｂ））に挿入するようにして座部１９に座る。天板５１の最後端部は、背もたれ１３に設けられた溝５９ａに嵌るまでスライド挿入する。
【００６１】
次に、カバー５３の取手５５を用いて、カバー５３を手前側にスライド移動させる。カバー５３の上端部には、溝５９ｃが形成されており、カバー５３を閉じた状態では、溝５９ａ、５９ｂ、５９ｃによって矩形に溝部が形成され、天板５１の外周はそれぞれ溝５９ａ、５９ｂ、５９ｃに嵌り、それぞれ溝５９ａ、５９ｂ、５９ｃによってシールされる。
【００６２】
また、天板５１はゴム製であるため、身体との隙間を自らの弾性変形によって埋めてシールする。したがって、本体部３内部には、密閉された高圧保持空間２７が形成される。この状態で、エア供給部２３より配管２５ａ、エア供給口２１を介して高圧保持空間２７内に所定圧力の空気を送り、高圧に保持することができる。
【００６３】
第４の実施の形態にかかる酸素セラピー装置５０によれば、酸素セラピー装置１と同様の効果を得ることができる。また、それ自体が身体シール部７ｅである天板５１が設けられるため、構造が簡単である。また、使用者は、カバー５３をスライドさせることで本体内部に入ることができるため、簡単に酸素セラピー装置５０を使用することができる。また、開閉扉を用いず、カバー５３と本体部３との接触部にシールが用いられるため、より確実に高圧保持空間２７を形成することができる。
【００６４】
次に、第５の実施の形態にかかる酸素セラピー装置６０について説明する。第５の実施の形態にかかる酸素セラピー装置６０は酸素セラピー装置５０とほぼ同様の構成であるが、次の点で異なる。すなわち、酸素セラピー装置６０では、酸素セラピー装置５０の天板５１に代えて天板６１が用いられる。
【００６５】
図１０は酸素セラピー装置６０を示す図であり、図１０（ａ）は酸素セラピー装置６０の斜視図、図１０（ｂ）はカバー５３を開放した状態を示す斜視図である。カバー６３は、本体部３の前方に設けられる。カバー６３下方にはレール５７が設けられる。カバー６３は、本体部３に対して前後方向にスライド可能である。カバー６３と一体で成形された天板６１は、半円（半楕円）状の切欠きを有する部材である。天板６１は、金属製または硬質の樹脂製である。
【００６６】
天板６１（カバー６３）を閉じた状態で、切欠き部と背もたれ１３で囲まれた空間が身体口５となる。天板６１の下面には、切欠き部に沿って、略Ｕ字状の身体シール部７ｇが設けられる。身体シール部７ｇの外周部には、前面が凹形状のシール保持部１７ｄ（図１１）が設けられる。また、背もたれ１３の身体シール部１７ｇに対応する位置には、身体シール部７ｆが設けられる。身体シール部７ｆの外周（後面）には、前面が凹形状のシール保持部１７ｃ（図１１）が設けられる。
【００６７】
身体シール部７ｇ、７ｆは、内部にエアを供給することで膨張させることができる。また、シール保持部１７ｃ、１７ｄは、身体シール部７ｇ、７ｆの外周を保持し、身体シール部７ｇ、７ｆを膨張させた際に、身体シール部７ｇ、７ｆを身体口５の内周方向に膨張させることができる。
【００６８】
二分割された身体シール部７ｇ、７ｆは、天板６１を閉じた状態で、膨張させることで、互いの端部同士が接触し、一つの環状のシール部材を形成する。なお、図１０に示す例では、天板６１はカバー６３と一体で形成したが、別体で設けてもよい。また、天板６１は、本体部３の内側面設けられた溝６７に沿って移動し、天板６１と本体部３との間は、パッキン等によりシールがなされる。さらに、カバー６３と本体部３との間もパッキン等によりシールがなされる。すなわち、本体部３内部が身体口５を除いて密閉される。
【００６９】
図１１は、酸素セラピー装置６０の使用状態を示す側面断面図である。使用者は、カバー６３を前方にスライドさせて開放した状態で、本体部３に入り、座部１９に座る。次に天板６１を溝６７（図１０（ｂ））に挿入するようにしてカバー６３をスライド移動させて、カバー６３を閉じる。この状態で、カバー６３と本体部３および天板６１と本体部３（背もたれ１３）とが完全にシールされる。
【００７０】
次に、エア供給部２３により、配管２５ｂ、２５ｃを介して身体シール部７ｆ、７ｇに所定圧力の空気を送ることで、身体シール部７ｆ、７ｇが膨張し、身体シール部７ｆ、７ｇ端部同士が接触して一つの環状のシール部を形成する。したがって、本体部３内部には、密閉された高圧保持空間２７が形成される。この状態で、エア供給部２３より配管２５ａ、エア供給口２１を介して高圧保持空間２７内に所定圧力の空気を送り、高圧に保持することができる。
【００７１】
第５の実施の形態にかかる酸素セラピー装置６０によれば、酸素セラピー装置１と同様の効果を得ることができる。また、使用者は、カバー６３をスライドさせることで本体内部に入ることができるため、簡単に酸素セラピー装置６０を使用することができる。また、開閉扉を用いず、カバー６３と本体部３との接触部にシールが用いられるため、より確実に高圧保持空間２７を形成することができる。また、身体シール部７ｆ、７ｇが二分割であるため、より確実にシールを行うことができる。
【００７２】
以上、添付図を参照しながら、本発明の実施の形態を説明したが、本発明の技術的範囲は、前述した実施の形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【符号の説明】
【００７３】
１、３０、４０、５０、６０………酸素セラピー装置
３………本体部
５………身体口
７ａ、７ｂ、７ｃ、７ｄ、７ｅ、７ｇ、７ｆ………身体シール部
９………開閉扉
１１………切欠き
１３………背もたれ
１５………蝶番
１７ａ、１７ｂ、１７ｃ、１７ｄ………シール保持部
１８ａ、１８ｂ………凹部
１９………座部
２１………エア供給口
２３………エア供給部
２５ａ、２５ｂ、２５ｃ………配管
２７………高圧保持空間
５１………天板
５３………カバー
５５………取手
５７………レール
５９ａ、５９ｂ、５９ｃ………溝
６１………天板
６３………カバー
６７………溝
【図１】
2011045611.tif 000003
【図２】
2011045611.tif 000004
【図３】
2011045611.tif 000005
【図４】
2011045611.tif 000006
【図５】
2011045611.tif 000007
【図６】
2011045611.tif 000008
【図７】
2011045611.tif 000009
【図８】
2011045611.tif 000010
【図９】
2011045611.tif 000011
【図１０】
2011045611.tif 000012
【図１１】
2011045611.tif 000013